(57)【要約】【課題】ガイド部内に切粉等が侵入することを完全に防止する。【解決手段】工作機械を内外に仕切る側壁21が天板52上に設けられている。前記側壁21に沿って天板52下方に設けられたガイド部53に案内される移動体34に扉33が前記側壁21外面に沿ってスライド可能に支持されている。移動体34がスライドする範囲の天板52下方には移動体34より上方レベルに上カバー41が、その下方レベルには下カバー43がそれぞれ被覆されている。上カバー41、82および下カバー43間の間隙に、移動体34との干渉を避けうる形状をなす中央カバー42が被覆されている。上カバー41、82下縁および中央カバー42上縁と、中央カバー42下縁および下カバー43上縁とは、内外方向から見て、それぞれオーバーラップδ１、δ２、δ３させられている。上カバー41、82外面、中央カバー42外面および下カバー43外面が、この順に、段階的に内方に後退させられている。【選択図】  図３
2013119141.tif 000002
【特許請求の範囲】
【請求項１】
工作機械を内外に仕切る側壁が天板上に設けられており、前記側壁に沿って天板下方に設けられたガイド部に案内される移動体に扉が前記側壁外面に沿ってスライド可能に支持されており、移動体がスライドする範囲の天板下方には移動体より上方レベルに上カバーが、その下方レベルには下カバーがそれぞれ被覆されており、上カバーおよび下カバー間の間隙に、移動体との干渉を避けうる形状をなす中央カバーが被覆されており、上カバーは、中央カバー上縁上方を内外に横切る中間壁と、中間壁外縁から起立させられている外壁と、中間壁内縁から垂下させられている内壁とよりなり、上カバーの内壁下縁および中央カバー上縁と、中央カバー下縁および下カバー上縁とは、内外方向から見て、それぞれオーバーラップさせられており、上カバーの外壁外面、中央カバー外面および下カバー外面が、この順に、段階的に内方に後退させられている扉装置。
【請求項２】
工作機械を内外に仕切る側壁が天板上に設けられており、前記側壁に沿って天板下方に設けられたガイド部に案内される移動体に扉が前記側壁外面に沿ってスライド可能に支持されており、移動体がスライドする範囲の天板下方には移動体より上方レベルに上カバーが、その下方レベルには下カバーがそれぞれ被覆されており、上カバーおよび下カバー間の間隙に、移動体との干渉を避けうる形状をなす中央カバーが被覆されており、上カバー下縁および中央カバー上縁と、中央カバー下縁および下カバー上縁とは、内外方向から見て、それぞれオーバーラップさせられており、上カバー外面、中央カバー外面および下カバー外面が、この順に、段階的に内方に後退させられている扉装置。
【請求項３】
上カバー及び中央カバー、下カバーの内側の機械フレームの外側面に、移動体をガイドするレールが設けられており、同外側面のレール上方から天板が外方に張出しており、天板外縁が上カバー上縁上方まで到達させられている請求項１または２に記載の扉装置。
【発明の詳細な説明】
【技術分野】
【０００１】
この発明は、例えば、工作機械に設けられた扉のガイド部を保護するカバー構造を持つ扉装置に関する。
【背景技術】
【０００２】
この種の扉装置としては、工作機械を内外に仕切る側壁外面にそってスライドしうるように扉が移動体に支持されており、移動体は側壁の取り付けられている切粉や切削液などを受ける天板の下方で天板が取り付けられている機械フレームの側面に設けたガイド部に案内されるように支持されており、天板下方で移動体より上方レベルに上カバーが、移動体より下方レベルに下カバーがそれぞれ被覆されているものが知られている。
【０００３】
上記問題点を解決するために、上カバーおよび下カバー間の間隙が、さらなる別のカバーで被覆されている技術も知られている。
【０００４】
この従来技術では、上カバーおよび下カバー間の間隙に、移動体との干渉を避けうる形状をなす中央カバーが被覆されており、上カバー下縁および中央カバー上縁と、中央カバー下縁および下カバー上縁とは、内外方向から見て、それぞれオーバーラップさせられており、上下２カ所のカバー・オーバーラップ部において、上下隣り合うカバー間の間隙がそれぞれ上向きに開放されているものが知られている（例えば、特許文献１，特許文献２参照。）。
【０００５】
この従来技術によれば、上カバーおよび下カバー間の間隙に中央カバーが被覆されているため、上カバーおよび下カバー間の間隙を通じてガイド部内に切粉等が外側方から侵入することは防止できる。しかしながら、この種の工作機械では、ガイド部の内部に侵入しようとする切粉等は、外側方から飛来するもののみならず、上方から落下してくる切粉等もある。上下隣り合うカバー間の間隙が上向き開放されていると、その上向き間隙を通じて、上方から落下する切粉等がガイド部内に侵入することは避けられない。
【先行技術文献】
【特許文献】
【０００６】
【特許文献１】実開５７−２６９９１号公報
【特許文献２】実開６０−１１３８５５号公報
【発明の概要】
【発明が解決しようとする課題】
【０００７】
この発明の目的は、ガイド部内に切粉等が侵入することを完全に防止することのできる扉装置を提供することにある。
【課題を解決するための手段】
【０００８】
この発明による扉装置は、工作機械を内外に仕切る側壁が天板上に設けられており、前記側壁に沿って天板下方に設けられたガイド部に案内される移動体に扉が前記側壁外面に沿ってスライド可能に支持されており、移動体がスライドする範囲の天板下方には移動体より上方レベルに上カバーが、その下方レベルには下カバーがそれぞれ被覆されており、上カバーおよび下カバー間の間隙に、移動体との干渉を避けうる形状をなす中央カバーが被覆されており、上カバーは、中央カバー上縁上方を内外に横切る中間壁と、中間壁外縁から起立させられている外壁と、中間壁内縁から垂下させられている内壁とよりなり、上カバーの内壁下縁および中央カバー上縁と、中央カバー下縁および下カバー上縁とは、内外方向から見て、それぞれオーバーラップさせられており、上カバーの外壁外面、中央カバー外面および下カバー外面が、この順に、段階的に内方に後退させられているものである。
【０００９】
この発明による扉装置では、上カバーの内壁下縁および中央カバー上縁間の間隙は、上カバーの中間壁によって上方から被覆されており、中央カバー下縁および下カバー上縁間の間隙は、下向きに開放されているから、上下２カ所のオーバーラップ部において、上下隣り合うカバー間の間隙が上向きに開放されていない。そのため、それらの間隙を、上方から落下してくる切粉等を通過することはできない。したがって、外側方から飛来する切粉等および上方から落下している切粉等のいずれもガイド部内に侵入することを防止できる。
【００１０】
この発明による他の扉装置は、工作機械を内外に仕切る側壁が天板上に設けられており、前記側壁に沿って天板下方に設けられたガイド部に案内される移動体に扉が前記側壁外面に沿ってスライド可能に支持されており、移動体がスライドする範囲の天板下方には移動体より上方レベルに上カバーが、その下方レベルには下カバーがそれぞれ被覆されており、上カバーおよび下カバー間の間隙に、移動体との干渉を避けうる形状をなす中央カバーが被覆されており、上カバー下縁および中央カバー上縁と、中央カバー下縁および下カバー上縁とは、内外方向から見て、それぞれオーバーラップさせられており、上カバー外面、中央カバー外面および下カバー外面が、この順に、段階的に内方に後退させられているものである。
【００１１】
この発明による他の扉装置では、上カバー下縁および中央カバー上縁間の間隙と、中央カバー下縁および下カバー上縁間の間隙とは、いずれも下向きに開放されている。したがって、この発明による他の扉装置においても、外側方から飛来する切粉等および上方から落下している切粉等のいずれもガイド部内に侵入することを防止できる。
【００１２】
さらに、同側壁内側の機械フレームの外側面に、移動体をガイドするレールが設けられており、同外側面のレール上方から天板が外方に張出しており、天板外縁が上壁上縁上方まで到達させられていると、上カバーの上方を通過しようとする切粉等は、天板によって阻止される。
【発明の効果】
【００１３】
この発明によれば、ガイド部内に切粉等が侵入することを完全に防止することができる。
【図面の簡単な説明】
【００１４】
【図１】この発明による扉装置を備えた工作機械の概略斜視図である。
【図２】この発明よる扉装置を詳細に示す図１の一部拡大垂直断面図である。
【図３】同扉装置の変形例を示す図１相当の断面図である。
【発明を実施するための形態】
【００１５】
以下の説明において、図１に矢印Ａで示す工作機械の正面側を前、これと反対側を後ろといい、左右とは、前方より見て、その左右の側を左右というものとする。
【００１６】
図１を参照すると、工作機械11は、ワーク（図示略）を加工するための加工スペース12と、加工スペース12の周囲を取り囲む前側壁21、後側壁22、左側壁23および右側壁24とを有している。各側壁21〜24の後述する天板52を挟んで下方にもそれぞれ下方側壁21a〜24aを有している。
【００１７】
前側壁21には、加工スペース12に臨ませられた、ワーク、オペレータのための出入口31が形成されている。出入口31には、これを開閉するための扉33が備えられている。扉33は、前側壁21外面にそってスライドしうるように左右方向移動体34に支持されている。移動体34がスライド可能なように出入口31の下方から扉のスライドする左方にかけては前述の下方側壁21aでなく、扉がスライド可能なスリットカバー32となっている。
【００１８】
図２に、スリットカバー32には、屈曲板状上カバー41、垂直板状中央カバー42および垂直板状下カバー43が上から順次固定状に被覆されている。
【００１９】
下方側壁21a〜24aやスリットカバー32の内側には機械フレーム51が設けられている。機械フレーム51の天面には、切粉や切削液を受ける天板52が固定されている。天板52の前部は、機械フレーム51の前側面から前方に突出させられている。天板52の前方突出部の先端は、上カバー41の上縁部上方に達している。スリットカバー32と機械フレーム51の間には移動体をガイドするガイド部53が設けられており、ガイド部53には機械フレーム51前側面高さの中ほどには、移動体34を案内するための水平状上レール54及び下レール55が平行に設けられている。扉33には折返部56が天板52の上方突出部の上方レベルを覆うように張りして、切粉や切削液などが機外に出ることを防いでいる。
【００２０】
移動体34は、中央カバー42に前方から相対させられた垂直板状扉支持部61と、扉支持部61の上縁部から後方に突出させられかつ中央カバー42の上縁部をまたいでいる横断面逆Ｌ字状上Ｌ字状部62と、扉支持部61の下縁部から後方に突出させられかつ中央カバー42の下縁部をくぐらされている横断面Ｌ字状下Ｌ字状部63と、上Ｌ字状部62の下端に取付られかつ上レール54下側にそって転動させられる上ローラ64と、下Ｌ字状部63の上端に取付られかつ下レール55上側にそつて転動させられる下ローラ65とよりなる。
【００２１】
上カバー41は、天板52の前方突出部の下方に位置させられて同前方突出部によって上方から被覆されたダブルクランク状のものであって、上Ｌ字状部62の上方を前後方向に横切る水平板状中央壁71と、中央壁71の前縁部から起立させられている垂直板状外壁72と、中央壁71の後縁部から垂下させられている垂直板状内壁73とよりなる。
【００２２】
上カバー41の内壁73下縁部および中央カバー42の上縁部は、前後方向から見て、上ラップ代分δ1だけ、オーバーラップされている。中央カバー42の下縁部および下カバー43の上縁部は、前後方向から見て、下ラップ代分δ2だけ、オーバーラップされている。これら２カ所のオーバーラップ部により、スリットカバー32を前側方から通過しようとかる切粉等は、スリットカバー32内への侵入を阻止される。
【００２３】
上カバー41の外壁72外面、中央カバー42の外面全体および下カバー43の外面全体は、この順に、漸次後退させられている。上カバー41の外壁72外面を伝って落下する切粉等は、中央カバー42外面によって受止められる。中央カバー42外面を伝って落下する切粉等は、下カバー43外面によって受止められる。
【００２４】
上カバー41の外壁72下縁部および中央カバー42の上縁部間の上間隙は、その上方から上カバー41の中央壁71で被覆されている。これにより、上間隙は、上向きに開放されていない。中央カバー42の下縁部および下カバー43の上縁部間の間隙は、上向きに開放されておらず、下向きに開放されている。
【００２５】
図３に、上記の上カバー41の変形例が示されている。図３において、図２で示す部分と対応するカ所には、同一の符号を付して、その説明は省略する。
【００２６】
扉33および移動体34間にはスペーサ81が介在させられている。扉33および移動体34間におけるスペーサ81上方に形成された間隙に、垂直板状上カバー82が収容されている。
【００２７】
上カバー81下縁部および中央カバー42上縁部は、前後方向から見て、上ラップ代分δ3だけ、オーバーラップされている。中央カバー42下縁部および下カバー43上縁部は、下ラップ代分δ2だけ、オーバーラップされている。上カバー41下縁部および中央カバー42上縁部間の間隙は、下向きに開放されている。中央カバー42下縁部および下カバー43上縁部間の間隙は、下向きに開放されている。
【００２８】
上カバー41外面全体、中央カバー42外面全体および下カバー43の外面全体は、この順に、漸次後退させられている。上カバー41外面を伝って落下する切粉等は、中央カバー42外面によって受止められる。中央カバー42外面を伝って落下する切粉等は、下カバー43外面によって受止められる。
【産業上の利用可能性】
【００２９】
この発明による扉装置は、工作機械の加工スペースを内外に仕切る側壁に形成された出入口を開閉することを達成するのに適している。
【符号の説明】
【００３０】
21  側壁
31  出入口
32  スリットカバー
33  扉
41  上カバー
42  中央カバー
43  下カバー
52  天板
82  上カバー
【図１】
2013119141.tif 000003
【図２】
2013119141.tif 000004
【図３】
2013119141.tif 000005